(57)【要約】【課題】着脱が容易で、非使用時には折りたたんで収納可能なカメラ保護カバーを提供する。【解決手段】一枚あるいは複数枚を積層した平面状の柔軟性および衝撃吸収性のある素材により、一眼レフカメラなどのストラップの内側を通して、カメラの両側の角の部分、ペンタプリズム部、レンズの先端部など殊に保護を要する部位を覆う。そして保護カバーの上側と下側を、カメラ本体とレンズの嵌め合わせ部付近で留め合わせることにより、全体を安定した形状保つ。【選択図】図３
2013218138.tif 000002
【特許請求の範囲】
【請求項１】
平面状の柔軟な素材からなり、ストラップの内側を通して、カメラの保護を要する部位（３、４、５、６、７、８）を覆うに足る大きさを持ったカメラの保護カバー。
【請求項２】
カメラのボディーとレンズの嵌め合わせ部付近（２２）において、保護カバー上部（９ａ）と下部（９ｂ）を留め合わせる留め具を装着した、請求項１記載のカメラの保護カバー。
【請求項３】
上部前方（９ａ）または下部前方（９ｂ）の先端にフロント・フラップ（１２）を着装した、請求項１記載のカメラの保護カバー。
【発明の詳細な説明】
【技術分野】
【０００１】
本発明は一眼レフ・カメラなどを保護するための保護カバーに関する。
【背景技術】
【０００２】
従来のカメラを保護するためのカメラ・ケースは、カメラの形状に合わせて予め立体成型を施した物であるため、非使用時にはかさばり、またレンズ・キャップやフードの着脱に手間のかかる物であった。本発明は、着脱が容易で非使用時に折りたたんで収納可能なカメラ保護カバーを実現することを目的とするものである
【先行技術文献】
【特許文献】
【０００３】
【特許文献１】特許分類検索において国際特許分類Ａ４５Ｃ１１／３８の項目を検索しましたが、類似した出願はありません。
【発明の概要】
【発明が解決しようとする課題】
【０００４】
小さく折りたたんで収納可能とすること。カメラに装着搬送時に衝撃や擦過などに対して十分な防護力を有すること。撮影時に迅速にカメラから着脱可能とすること。
【課題を解決するための手段】
【０００５】
本発明は、布、発泡ゴムなど、一枚あるいは複数枚の柔軟性のある素材を積層した平面材で、カメラを包み込むことにより上記課題を達成するものである
【０００６】
（図１）に、レンズを着装した通常の一眼レフカメラにおいて、外部からの衝撃に対して保護を必要とする部位を示す。カメラ本体（１）の左右のそれぞれ上下の４辺（３、４、５、６）と、ペンタプリズムあるいはＥＶＦ（エレクトリック・ビュー・ファインダー）の突出があるものについてはその頂部（７）、および着装したレンズ（２）の前面周辺（８）が主要なものである。さらに背面液晶部と底面にも、ある程度の保護が必要である。
【０００７】
（図３）（ａ）において、これらの保護を要する部位をすべて覆うように、保護カバーの上側部位（９ａ）をストラップ（２０）の内側を通して、カメラ本体上部およびレンズ先端部上側（８）へかぶせる。そして下側部位（９ｂ）で本体底面およびレンズ先端部下側（８）を下側から覆う。
つぎにこの実施例においては、カメラのボディーとレンズの嵌め合わせ部付近ののあたり（図５）（ａ）（２２）で、上側部位（９ａ）と下側部位（９ｂ）をホックや樹脂製の留め具などにより留め合わせる。あるいは紐で結束したり面ファスナーで圧着する。
なお本発明においてはこれら留め合わせに用いられる材料を「留め具」と表現する。
この位置（２２）で保護カバー（９）の上下（９ａ、９ｂ）を留め合わせると、カメラ本体（１）を包み込むと同時に、レンズ鏡筒（２）の外周に円滑に馴染ませることができる。
【０００８】
（図５）（ｂ、ｃ、ｄ、e）にこの保護カバー（９）の上下（９ａ、９ｂ）を留め合わせる方法のいくつかの実施例を示す。
（ｂ）に示す実施例では、まず保護カバーの下側（９ｂ）を鏡筒（２）に巻き付け、その上から保護カバーの上側（９ａ）を被せる。そして両者の重なり合う部分に着装した左右それぞれ対になるホックなどの留め具（１０ａと１０ｂ）（１１ａと１１ｂ）で嵌め合わせて保護カバー（９）の上下（９ａ、９ｂ）を留め合わせる。
（ｃ）に示す実施例では、上下の保護カバー（９ａ、９ｂ）は完全には鏡筒（２）に巻き付けず、両脇で対向させてそこに着装した留め具（２４）で留め合わせる。
（ｄ）に示す実施例では、まず保護カバーの下側（９ｂ）を鏡筒に巻き付け、その上から保護カバーの上側（９ａ）を被せる。そして上側の保護カバー（９ａ）の両脇の一方に着装したベルト（２５）を下側から巻き付ける。そしてこのベルトの先端に着装した留め具（２６ｂ）と、両脇のもう一方のに着装したベルトの留め具（２６ａ）により、保護カバーの上下を留め合わせる。
（ｅ）に示す実施例では、まず保護カバーの下側（９ｂ）を鏡筒（２）に巻き付け、その上から保護カバーの上側（９ａ）を被せる。そして保護カバーの下側（９ｂ）の保護カバーの上下が重なり合わない部分に左右に伸びるベルト（２７）を着装する。このベルト（２７）を上側の保護カバー（９ａ）の上から鏡筒（２）に巻き付け、上側の保護カバー（９ａ）に着装した留め具（２８）で留め合わせる。
【０００９】
（図２）に本発明による保護カバーを展開した状態を示す。長さ（Ｌ）は、（図４）（ａ）においてレンズ先端部上側（８ａ）からカメラ本体（１）の背面を通り、レンズ先端部の下側（８ｂ）に至る包絡線長よりも多少（たとえばそれぞれ１ｃｍ程度）長くする。この余剰分がレンズ先端部（８）よりも突き出して被さることによりレンズ先端周辺を衝撃から保護する。
（図２）の幅（Ｗ）は、（図４）（ｂ）において、カメラ本体（１）の一方の肩部（３）からペンタプリズム部（７）を通ってもう一方の肩部５に至る包絡線長よりも多少（たとえばそれぞれ２ｃｍ程度）左右それぞれ長くする。この余剰分が左右肩部（３、５）、同様にして底面の左右（４、６）に被さることにより衝撃を受けやすい各辺を保護する。
【００１０】
補助的な機能として、レンズ前面を覆うフロント・フラップ（１２）を保護カバーの先端の上下いずれか（９ａ、または９ｂ）に取り付けることもできる（図６）（ａ、ｂ）。このフラップ（１２）は非使用時には内側に折りたたみ、対となる面ファスナー（１４ａ、１４ｂ）の圧着により保持する、あるいは収納部を設けこれに収納する事も可能である。
カメラの搬送時にはこのフロント・フラップ（１２）をレンズ（２）の前面に被せ、面ファスナー（１５ａ、１５ｂ）の圧着により保持することも可能である（ａ）。これは実用面よりも、公共交通機関などで移動する場合に、カメラのレンズ部の露出による周囲の人への心理的圧迫感を軽減するのに役立つ。この場合、保護カバー側の面ファスナー（１５ｂ）の長さをレンズの軸線方向に長くすると、様々な長さのレンズに対応させることができる。
このフラップ（１２）を内側に折りたたんだ場合（ｂ）、保護カバー（９）をカメラ本体に被せたままで、レンズ前面のレンズ・キャップ（２９）を外し、レンズ・フード（３０）を装着することが可能となる。この状態であると右側の留め具（１０ａ、１０ｂ）を外すだけでただちに撮影可能状態となる。これはいわゆる速写ケースにレンズ・キャップを付けて収納されたカメラを取り出して撮影可能状態にするまでの時間よりも遙かに迅速である。
【００１１】
このフロント・フラップはこれまで示したような平面からなる保護カバー（９）だけでなく、前方部でふたを開閉するタイプの通常のカメラ・ケースにも適用可能である。
（図７）において、一般的な立体形成のカメラ・ケース（３１）のふた（３２）前面にフロント・フラップ（３３）を着装した例を示す。このフロント・フラップは本体側に着装することも可能である。
【００１２】
（図８）のように保護カバー（９）が袋状に形成されている時は、（図２）のようにその両脇にドロー・コード（１７）を内蔵することができる。その一端は内部で切り込み成形部（１６）の付近で固定され（１８）、もう一端は留め具（１０ｂ、１１ｂ）の付近に穿たれた穴（１９）から外部に引き出される。保護カバー（９）でカメラを覆った後このドロー・コードを引っ張ると、左右にはみ出た保護カバーの両脇が引張られてカメラ本体側面に密着する。
【００１３】
（図９）において、切り込み成形部（１６）は、保護カバー（９）をカメラに装着したときにカメラ本体のストラップ取り付け部（２１）に接触する部位の詳細図である。このような切り込みを入れると、保護カバー（９）の脇部が円滑にカメラの側面に馴染む。またこの切り込みは、布などだけであると形が崩れやすいので、必要に応じて、たとえばポリプロピレンのような比較的柔軟な樹脂などでできた、形状を保つための補強部材（３９）を保護カバー（９）の切り込み部（１６）に固着させる。
【図面の簡単な説明】
【００１４】
【図１】一眼レフ型カメラにおいて特に保護を必要とする部位（斜線でハッチング）を示す斜視図である。
【図２】保護カバーの展開形を表す裏面からの平面図である
【図３】（ａ）保護カバーの装着手順と、（ｂ）装着完了時を示す斜視図である。
【図４】（ａ）保護カバーによる被覆状態を表す（図３ｂ）（ＡーＡ’）位置での光軸方向の断面図である。（ｂ）保護カバーによる被覆状態を表す（図３ｂ）（ＢーＢ’）位置での光軸方向正面からの断面図である。
【図５】（ａ）留め具を着装するのに最適な位置（２２）（斜線でハッチング）を示す平面図である。（ｂ、ｃ、ｄ、ｅ）留め具を着装する位置（２２）での保護カバー上側（９ａ）と下側（９ｂ）を固定する幾つかの実施例。（ＦーＦ’）位置での断面図。
【図６】（ａ）レンズキャップを装着し（２５）、フロントフラップ（１２）を被せた、搬送時の保護カバーの状態を示す断面図。（ｂ）フロントフラップ（１２）を折りたたみ、レンズフード（２６）を装着した、速写可能状態での断面図。
【図７】通常のカメラケースにフロントフラップを適用した実施例示す斜視図である。
【図８】ドロー・コードの収納状況を示す保護カバーの断面図。
【図９】ストラップ取り付け部付近の詳細側面図。図。
【符号の説明】
【００１５】
１３・・・フロント・フラップの折りたたみ位置を破線で示す。
１７・・・ドロー・コード
１７ａ・・ドロー・コードの外部へ引き出された部分。
１７ｂ・・ドロー・コードの保護カバーに内蔵された部分。
２３・・・鏡筒に巻き付ける前の（９ａ、９ｂ）の状態を表す。
３４・・・留め具（ホックなど）
３５・・・保護カバーの裏地
３６・・・保護カバーの表地
３７・・・緩衝材
３８・・・コード・ストッパー
【図１】
2013218138.tif 000003
【図２】
2013218138.tif 000004
【図３】
2013218138.tif 000005
【図４】
2013218138.tif 000006
【図５】
2013218138.tif 000007
【図６】
2013218138.tif 000008
【図７】
2013218138.tif 000009
【図８】
2013218138.tif 000010
【図９】
2013218138.tif 000011